【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
重要度が付与されている文書から単語を抽出して索引を作成する文書検索システムにおいて、
前記重要度に基づいて、前記文書中の単語に対する同義語と類義語のうち少なくとも一方を取得する取得手段と、
前記取得手段で取得された同義語と類義語のうち少なくとも一方を前記索引に追加する追加手段とを備えたことを特徴とする文書検索システム。
【請求項２】
前記取得手段は、前記重要度に応じて、同義語と類義語のうち少なくとも一方の取得する数を決定して取得することを特徴とする請求項１記載の文書検索システム。
【請求項３】
前記抽出される単語において、同一とみなせる単語の数を計数する計数手段を更に備え、
前記取得手段は、前記計数手段で計数した単語の数が閾値以上である場合のみ、該単語に対する同義語と類義語のうち少なくとも一方を取得することを特徴とする請求項１記載の文書検索システム。
【請求項４】
前記重要度の大きさに応じて、前記閾値を変動させる閾値変動手段を更に備えたことを特徴とする請求項３記載の文書検索システム。
【請求項５】
前記取得手段は、各単語間の概念距離を登録している同義語・類義語辞書を参照し、前記単語との概念距離の値が少ないものを優先して、同義語と類義語のうち少なくとも一方を取得することを特徴とする請求項１記載の文書検索システム。
【請求項６】
重要度が付与されている文書から単語を抽出して索引を作成する文書検索方法において、
前記重要度に基づいて、前記文書中の単語に対する同義語と類義語のうち少なくとも一方を取得する取得ステップと、
前記取得ステップで取得された同義語と類義語のうち少なくとも一方を前記索引に追加する追加ステップとを備えたことを特徴とする文書検索方法。
【請求項７】
前記取得ステップは、前記重要度に応じて、同義語と類義語のうち少なくとも一方の取得する数を決定して取得することを特徴とする請求項６記載の文書検索方法。
【請求項８】
前記抽出される単語において、同一とみなせる単語の数を計数する計数ステップを更に備え、
前記取得ステップは、前記計数ステップで計数した単語の数が閾値以上である場合のみ、該単語に対する同義語と類義語のうち少なくとも一方を取得することを特徴とする請求項６記載の文書検索方法。
【請求項９】
前記重要度の大きさに応じて、前記閾値を変動させる閾値変動ステップを更に備えたことを特徴とする請求項８記載の文書検索方法。
【請求項１０】
前記取得ステップは、各単語間の概念距離を登録している同義語・類義語辞書を参照し、前記単語との概念距離の値が少ないものを優先して、同義語と類義語のうち少なくとも一方を取得することを特徴とする請求項６記載の文書検索方法。
【手続補正２】
【補正対象書類名】明細書
【補正対象項目名】０００２
【補正方法】変更
【補正の内容】
【０００２】
【従来の技術】
従来、文書検索システムでは、文書イメージデータや文書テキストデータの検索漏れを少なくするために、使用者は検索語とその同義語・類義語との論理和演算を検索時に行うことにより索引を作成して検索処理を行っていた。このような検索処理を行う文書検索システムの中には、使用者の選択により同義語・類義語を考慮するものや、使用者の選択に関わらず自動的に同義語・類義語を考慮するものが知られている。


【手続補正３】
【補正対象書類名】明細書
【補正対象項目名】０００３
【補正方法】変更
【補正の内容】
【０００３】
【発明が解決しようとする課題】
しかしながら、上記文書検索システムでは、自動的に同義語・類義語を考慮する場合、使用者が望んでいないものが多く検索されたり、検索処理の負荷が大きくなってしまうという問題があった。


【手続補正４】
【補正対象書類名】明細書
【補正対象項目名】０００６
【補正方法】変更
【補正の内容】
【０００６】
【課題を解決するための手段】
上記目的を達成するために、本発明は、重要度が付与されている文書から単語を抽出して索引を作成する文書検索システムにおいて、前記重要度に基づいて、前記文書中の単語に対する同義語と類義語のうち少なくとも一方を取得する取得手段と、前記取得手段で取得された同義語と類義語のうち少なくとも一方を前記索引に追加する追加手段とを備えたことを特徴とする。


【手続補正５】
【補正対象書類名】明細書
【補正対象項目名】０００７
【補正方法】変更
【補正の内容】
【０００７】
また、本発明は、重要度が付与されている文書から単語を抽出して索引を作成する文書検索方法において、前記重要度に基づいて、前記文書中の単語に対する同義語と類義語のうち少なくとも一方を取得する取得ステップと、前記取得ステップで取得された同義語と類義語のうち少なくとも一方を前記索引に追加する追加ステップとを備えたことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００４５
【補正方法】変更
【補正の内容】
【００４５】
本発明によれば、文書に付与された重要度に基いて、単語に対する同義語・類義語を取得し、同義語・類義語を索引に追加するので、使用者が意識することなく、しかも負荷を大きくすることなく使用者の要求に応じた索引作成を行うことができる。したがって、重要な文書を検索し易くできる。


【手続補正１３】
【補正対象書類名】明細書
【補正対象項目名】００４６
【補正方法】変更
【補正の内容】
【００４６】
また本発明によれば、重要度の大きさに応じて前記取得される同義語・類義語の数を決定するので、重要な文書は人の目に多く触れるようにすることができる。


【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】変更
【補正の内容】
【００４８】
また本発明によれば、文書から抽出される単語の数を計数し、該計数された単語の数が閾値以上である場合にのみ、該単語に対する同義語・類義語を前記索引に追加するので、単語の出現頻度に応じて同義語・類義語の数を設定することができ、より使用者の要求に適した検索処理を行うことができる。


【手続補正１６】
【補正対象書類名】明細書
【補正対象項目名】００４９
【補正方法】削除
【補正の内容】
【手続補正１７】
【補正対象書類名】明細書
【補正対象項目名】００５０
【補正方法】削除
【補正の内容】
【手続補正１８】
【補正対象書類名】明細書
【補正対象項目名】００５１
【補正方法】削除
【補正の内容】
【手続補正１９】
【補正対象書類名】明細書
【補正対象項目名】００５２
【補正方法】変更
【補正の内容】
【００５２】
【発明の効果】
本発明によれば、文書から単語を抽出して索引を作成する場合に、各単語の同義語と類義語のうち少なくとも一方を索引に追加する際の使用者の負荷を軽減することができる。